(57)【要約】【課題】不要となったＩＣカードのセキュリティを、確実に確保することが可能である。また、ＩＣカード発行時に正常に処理できなかったＩＣカードが不正使用されることを防止し、ＩＣカードの高セキュリティを実現することが可能である。【解決手段】カード基材の一方の表面に顔画像を含む個人識別情報が設けられた受像層を有し、他方の表面に筆記層を有するＩＣカードを粉砕する。また、ＩＣカード発行装置は、ＩＣ記録部を有する電気回路が内蔵されたカードの表面に所持者に関する情報を印字する印字手段と、ＩＣ記録部に所持者に関する情報を記録するＩＣ記録手段と、ＩＣカードが正常に発行されたか否かを判定する判定手段と、判定手段により前記ＩＣカードが正常に発行されなかったと判定した際に、正常に発行されなかったＩＣカードを粉砕する粉砕処理手段とを有する。【選択図】図３
2004272733.tif 000002
【特許請求の範囲】
【請求項１】
カード基材の一方の表面に顔画像を含む個人識別情報が設けられた受像層を有し、他方の表面に筆記層を有するＩＣカードを粉砕することを特徴とするＩＣカードの処理方法。
【請求項２】
前記ＩＣカードの受像層の上面に透明保護層が設けられていることを特徴とする請求項１に記載のＩＣカードの処理方法。
【請求項３】
３．３５ｍｍのふるい目開き寸法通過率１００％となるように、前記ＩＣカードを粉砕することを特徴とする請求項１または請求項２に記載のＩＣカードの処理方法。
【請求項４】
少なくとも所持者の顔画像を含む所持者に関する情報が付与されるＩＣカードを発行するＩＣカード発行装置において、
ＩＣ記録部を有する電気回路が内蔵されたカードの表面に所持者に関する情報を印字する印字手段と、前記ＩＣ記録部に所持者に関する情報を記録するＩＣ記録手段と、ＩＣカードが正常に発行されたか否かを判定する判定手段と、前記判定手段により前記ＩＣカードが正常に発行されなかったと判定した際に、正常に発行されなかったＩＣカードを粉砕する粉砕処理手段とを有することを特徴とするＩＣカード発行装置。
【請求項５】
前記判定手段によりＩＣカードが正常に発行されたと判定した際に、正常に発行されたＩＣカードを収納する正常カード収納手段を有することを特徴とする請求項４に記載のＩＣカード発行装置。
【請求項６】
前記粉砕処理手段により粉砕処理されたカードを収納する粉砕カード収納手段とを有することを特徴とする請求項４または請求項５に記載のＩＣカード発行装置。
【請求項７】
少なくとも所持者の顔画像を含む所持者に関する情報が付与されるＩＣカードを発行するＩＣカード発行方法において、
ＩＣ記録部を有する電気回路が内蔵されたカードの表面に所持者に関する情報を印字し、前記ＩＣ記録部に所持者に関する情報を記録し、ＩＣカードが正常に発行されたか否かを判定し、ＩＣカードが正常に発行されなかったと判定した際に、正常に発行されなかったＩＣカードを粉砕することを特徴とするＩＣカード発行方法。
【請求項８】
前記ＩＣカードが正常に発行されたと判定した際に、正常に発行されたＩＣカードを正常カード収納手段に収納することを特徴とする請求項７に記載のＩＣカード発行方法。
【請求項９】
前記粉砕処理されたカードを粉砕カード収納手段に収納することを特徴とする請求項７または請求項８に記載のＩＣカード発行方法。
【発明の詳細な説明】
【０００１】
【発明の属する技術的分野】
この発明は、非接触型のＩＣカードの処理方法、ＩＣカード発行装置及びＩＣカード発行方法に関する。
【０００２】
【従来の技術】
近年、ＩＣカードは、銀行カード、クレジットカード、通勤、通学定期カード等、広く利用されている。
【０００３】
これらのＩＣカードには、更新などで、使われなくなるものがある。この有効期限切れ等で不要となったＩＣカードは、悪用されたり、偽変造される可能性があるなどの問題がある。このような問題を防止し、不要となったＩＣカードを使用不能とするために、ＩＣチップをカードから分離する方法及びＩＣチップをカードから分離するための装置が開示されている（例えば特許文献１、特許文献２）。
【０００４】
また、ＩＣカードは、非常に幅広い分野で利用されており、今後もさらに多くの分野での利用が期待されているが、それに伴いＩＣカードの大量発行の必要性が生じてきた。このような必要性から発行前の初期状態のカード（生カード）に、所持者の顔画像の印画処理、所持者情報の印字処理、ＩＣ情報の書込み処理といった処理を順次、しかも連続して実施することによりＩＣカードを発行するＩＣカード発行装置が開示されている（例えば特許文献３）。例えば、このようなＩＣカード発行装置では、ＩＣカードの発行に必要な情報が登録された後、以下の手順でＩＣカードの発行処理が行われる。まず、発行前の初期状態のカード（生カード）がセットされると、そのカードには所持者顔画像が印画され、所持者情報が印字される。次に、ＩＣ記憶部にＩＣ情報がエンコードされる。これまでの処理が正常に実施された場合、そのカードは正常に発行されたＩＣカードとしてスタッカに収納される。また、これまでの処理が正常に行われなければ、そのカードは異常カードとしてリジェクトスタッカに収納される。また、発行装置内でのカードの搬送時に障害（ジャム）があった場合も、カードはリジェクトスタッカに搬送されて収納されるか、オペレータにより取り除かれる。
【０００５】
【特許文献１】
特開２００２−１５２８７号公報（第２〜第７頁、図１〜図６）
【０００６】
【特許文献２】
特願２００２−９６６１９号
【０００７】
【特許文献３】
特開平９−３２３４９０号公報（第２〜第９頁、図１〜図７）
【０００８】
【発明が解決しようとする課題】
しかしこれらの特許文献１及び特許文献２に記載の従来技術では、ＩＣの機能は損なわれたとしても、ＩＣカードの券面の大半がそのまま残るため、未だ悪用や偽変造の不安が拭えない。
【０００９】
また、例えば特許文献３に記載のＩＣカード発行装置では、以下の（Ａ）及び（Ｂ）ような問題点がある。
【００１０】
（Ａ）ＩＣカードの表面に所持者情報の印字や所持者の顔画像の印画がある場合、ＩＣカードの表面を目視することによって所持者の正当性を確認することができるが、ＩＣカードの表面に印画される顔画像や印字内容の大きさが小さいこともあり、不正使用される場合がある。例えば、所持者情報や所持者の顔画像が正規に印字及び印画されたＩＣカードを拾得した人が、ＩＣに記録された内容の確認を伴わないＩＣカードの利用時に、正規に印字及び印画されたＩＣカードで不正使用を行う。
【００１１】
また、ＩＣカード発行装置内の発行作業のうち印字及び印画が正規に処理された後に、何らかの理由でＩＣ情報が正常に書き込まれずにリジェクトスタッカに収納されたＩＣカードを持ち出して、ＩＣに記録された内容の確認を伴わないＩＣカードの利用時に、ＩＣカードの不正使用を行う。
【００１２】
（Ｂ）ＩＣ情報が書き込まれたＩＣカードは、専用のカードリーダでＩＣ情報を読み取ることによって所持者の正当性を確認することができるが、所持すべき人物が所持しない場合に不正使用が可能だった。例えば、ＩＣ情報が正規に書きこまれたＩＣカードを拾得した場合に、拾得した人がその拾得したＩＣカードで不正使用を行う。また、場合によっては、拾得したＩＣカードの表面の印字及び印画部分に上部から不正利用者が印字及び印画を施したシートを貼り付けることによって、見た目にも正規でないＩＣカードと見極めることが困難なＩＣカードを「偽造」することができる。
【００１３】
また、ＩＣカード発行装置内の発行作業のうち印字処理、印画処理、ＩＣ書込み処理が正規に処理された後に、装置内の搬送部分に不具合が発生したために、リジェクトスタッカに収納されたＩＣカードを不正に使用する。あるいは、ＩＣカード発行装置内の発行作業が正規に処理され、正常にスタッカに収納されたが、印字あるいは印画の品質が悪いために使用しなくなったＩＣカードを不正に使用する。
【００１４】
このように、高セキュリティを要求されるはずのＩＣカードでありながら、拾得して不正に使用されたり、ＩＣカード発行時にリジェクトされたＩＣカードを不正に使用されたりすることがあるなどの問題点がある。
【００１５】
この発明は、かかる実情に鑑みてなされたもので、不要となったＩＣカードのセキュリティを、確実に確保することが可能なＩＣカードの処理方法を提供することを目的としている。
【００１６】
また、この発明は、高セキュリティを要求されるはずのＩＣカードでありながら、ＩＣカード発行時に正常に処理できなかったＩＣカードが不正使用されることがあるという問題点を解決するために、ＩＣカード発行時に正常に処理できなかったＩＣカードが不正使用されることを防止し、ＩＣカードの高セキュリティを実現することが可能となるＩＣカード発行装置及びＩＣカード発行方法を提供することをもう一つの目的とする。
【００１７】
【課題を解決するため手段】
前記課題を解決し、かつ目的を達成するために、この発明は、以下のように構成した。
【００１８】
請求項１に記載の発明は、カード基材の一方の表面に顔画像を含む個人識別情報が設けられた受像層を有し、他方の表面に筆記層を有するＩＣカードを粉砕することを特徴とするＩＣカードの処理方法である。
【００１９】
この請求項１に記載の発明によれば、有効期限切れ、所持者情報変更、権利抹消などで返却されたり、正常に発行できなかった等で不要となったＩＣカードを粉砕することで、ＩＣカードのセキュリティを確実に確保することが可能となり、またＩＣカードが外部に流出して不正に使用されることを未然に防ぐことができる。
【００２０】
請求項２に記載の発明は、前記ＩＣカードの受像層の上面に透明保護層が設けられていることを特徴とする請求項１に記載のＩＣカードの処理方法である。
【００２１】
この請求項２に記載の発明によれば、受像層の上面に透明保護層が設けられているＩＣカードを粉砕することで、ＩＣカードのセキュリティを確実に確保することが可能となり、またＩＣカードが外部に流出して不正に使用されることを未然に防ぐことができる。
【００２２】
請求項３に記載の発明は、３．３５ｍｍのふるい目開き寸法通過率１００％となるように、前記ＩＣカードを粉砕することを特徴とする請求項１または請求項２に記載のＩＣカードの処理方法である。
【００２３】
この請求項３に記載の発明によれば、３．３５ｍｍのふるい目開き寸法通過率１００％となるように、ＩＣカードを粉砕することで、ＩＣカードのセキュリティを確実に確保することが可能となり、またＩＣカードが外部に流出して不正に使用されることを未然に防ぐことができる。
【００２４】
請求項４に記載の発明は、少なくとも所持者の顔画像を含む所持者に関する情報が付与されるＩＣカードを発行するＩＣカード発行装置において、
ＩＣ記録部を有する電気回路が内蔵されたカードの表面に所持者に関する情報を印字する印字手段と、前記ＩＣ記録部に所持者に関する情報を記録するＩＣ記録手段と、ＩＣカードが正常に発行されたか否かを判定する判定手段と、前記判定手段により前記ＩＣカードが正常に発行されなかったと判定した際に、正常に発行されなかったＩＣカードを粉砕する粉砕処理手段とを有することを特徴とするＩＣカード発行装置である。
【００２５】
この請求項４に記載の発明によれば、有効期限切れ、所持者情報変更、権利抹消などで返却されたり、発行処理の途中で正常に発行できなかった等で不要となったＩＣカードを粉砕することで、ＩＣカードのセキュリティを確実に確保することが可能となり、またＩＣカードが外部に流出して不正に使用されることを未然に防ぐことができる。
【００２６】
請求項５に記載の発明は、前記判定手段によりＩＣカードが正常に発行されたと判定した際に、正常に発行されたＩＣカードを収納する正常カード収納手段を有することを特徴とする請求項４に記載のＩＣカード発行装置である。
【００２７】
この請求項５に記載の発明によれば、ＩＣカードが正常に発行されたと判定した際に、正常に発行されたＩＣカードを正常カード収納手段に収納する。
【００２８】
請求項６に記載の発明は、前記粉砕処理手段により粉砕処理されたカードを収納する粉砕カード収納手段とを有することを特徴とする請求項４または請求項５に記載のＩＣカード発行装置である。
【００２９】
この請求項６に記載の発明によれば、粉砕処理されたカードを粉砕カード収納手段に収納する。
【００３０】
請求項７に記載の発明は、少なくとも所持者の顔画像を含む所持者に関する情報が付与されるＩＣカードを発行するＩＣカード発行方法において、
ＩＣ記録部を有する電気回路が内蔵されたカードの表面に所持者に関する情報を印字し、前記ＩＣ記録部に所持者に関する情報を記録し、ＩＣカードが正常に発行されたか否かを判定し、ＩＣカードが正常に発行されなかったと判定した際に、正常に発行されなかったＩＣカードを粉砕することを特徴とするＩＣカード発行方法である。
【００３１】
この請求項７に記載の発明によれば、有効期限切れ、所持者情報変更、権利抹消などで返却されたり、発行処理の途中で正常に発行できなかった等で不要となったＩＣカードを粉砕することで、ＩＣカードのセキュリティを確実に確保することが可能となり、またＩＣカードが外部に流出して不正に使用されることを未然に防ぐことができる。
【００３２】
請求項８に記載の発明は、前記ＩＣカードが正常に発行されたと判定した際に、正常に発行されたＩＣカードを正常カード収納手段に収納することを特徴とする請求項７に記載のＩＣカード発行方法である。
【００３３】
この請求項８に記載の発明によれば、ＩＣカードが正常に発行されたと判定した際に、正常に発行されたＩＣカードを正常カード収納手段に収納する。
【００３４】
請求項９に記載の発明は、前記粉砕処理されたカードを粉砕カード収納手段に収納することを特徴とする請求項７または請求項８に記載のＩＣカード発行方法である。
【００３５】
この請求項９に記載の発明によれば、粉砕処理されたカードを粉砕カード収納手段に収納する。
【００３６】
【発明の実施の形態】
以下、この発明のＩＣカード処理方法の実施の形態を説明する。なお、この発明は、実施の形態に限定されるものではない。
【００３７】
この実施の形態のＩＣカードとは、キャッシュカード、従業者証、社員証、会員証、学生証、外国人登録証及び各種運転免許証、名刺、ネームプレート、パスポート、診察カード、テレホンカード、定期券等を包含するカードであって、一般に手札程度の大きさであり、かつ多くの場合携帯して使用するものである。具体的に顔写真の入ったＩＣカードを適用した、例えば会社の従業員カードの例について説明する。
【００３８】
ＩＣカードは、塩化ビニル樹脂の合成樹脂などで作成された基体の一部に設けられた凹部にＩＣユニットを収容したもので、ＩＣと外部回路との電気的な接触の仕方によって接触型と非接触型とがある。しかし、接触型のようにカード表面に接触端子が露出していると、接触面の劣化、接触不良などが起こり、ＩＣカードヘの電力供給及びデータ信号の入出力が行われなくなる等の問題が生じる。
【００３９】
そこで非接触に電気信号を授受するためのアンテナコイルで電磁波を発生及び／又は電磁波を受ける構成を有するＩＣカードが出現している。
【００４０】
図１はこのような表面に金属端子のない非接触型ＩＣカードの１例を示す平面図である。図において、ＩＣカード１には、ＩＣチップＣ１及びＲ／Ｗ（リード／ライト）のための信号授受部としてアンテナコイルＣ２を有するＩＣユニットＣが設けられている。
【００４１】
キー情報部Ｃ３はＩＣカード１と他のカードを識別するための属性識別情報で、例えばＩＣカード１の表面に付されたコード番号である。また、文字情報部Ｃ４はＩＣカード１の表面に付された氏名・職場・発行日などで、画像情報部Ｃ５は顔などの画像情報である。
【００４２】
顔画像は、昇華型熱転写方式により形成されるのが、比較的簡便に画像を形成できるため好ましい。
【００４３】
このＩＣカードは、ＪＩＳに定められているクレジットカードと同一の寸法、つまり短辺５４ｍｍ、長辺８６ｍｍ、厚さ０．７６ｍｍである。
【００４４】
図２はＩＣカードの層構成を模式的に示す断面図である。第１のシート材１０と第２のシート材２０の間に介在される接着剤層３１，３２内にＩＣチップＣ１及びアンテナコイルＣ２を有するＩＣユニットＣを封入したＩＣカード１の構成である。
【００４５】
第２のシート材２０上に直接、または接着剤層３２を間に挟むようにＩＣユニットＣを載置し、その上から更に接着剤層３１を介在させた後、第１のシート材１０を接着してＩＣカード１を製造する。ＩＣユニットＣは、接着剤層３１と接着剤層３２との間に埋め込まれた形になっている。
【００４６】
第１のシート材１０の表面側には、受像層が設けられ、第２のシート材２０の表面側には、筆記層が設けられており、受像層の上にはさらに透明保護層を設けてもよい。保護層としては、熱又は光硬化型樹脂層が好適に用いられ、カードの最外層に設ける場合、塗布方式若しくは転写箔で形成することが好ましい。
【００４７】
ここで、第１のシート材１０及び第２のシート材２０のカード基体、受像層、筆記層に関しては特開平７−８８９７４号に詳細な記載があり、ＩＣカード１のシート材としては、各種カード基材として使用されているポリエステル樹脂，ＡＢＳ樹脂，塩化ビニル樹脂等の樹脂シート、熱転写紙，上質紙，アート紙，コート紙等の紙、などを用いることができる。これらの中でも、環境へ与える負荷が比較的少なく、白色度、耐久性の点に優れる白色ＰＥＴが特に好ましい。
【００４８】
有効期限切れ、所持者情報変更、権利抹消などで返却されたり、正常に発行できなかった等で不要となったＩＣカードはシュレッダー、ミル等の所望の粉砕機で粉砕される。粉砕された後、さらに焼却されるのがセキュリティ確保の観点から好ましい。ここで、不要となったＩＣカードは、３．３５ｍｍのふるい目開き寸法通過率１００％となるよう粉砕されるのが好ましい。このふるい目開き寸法は、ＪＩＳ  Ｚ  ８８０１−１に準拠して行われる。
【００４９】
図３はＩＣカード発行システム１１０の概略構成を示すブロック図である。図３に示すように、このＩＣカード発行システム１１０は、ＩＣカード発行装置本体１１１とこのＩＣカード発行装置本体１１１を制御する制御用コンピュータ１１２とから構成されている。制御用コンピュータ１１２は、パーソナルコンピュータ（ＰＣ）本体１２１、データベース１２２、カメラ１２３、スキャナ１２４などから構成されている。この制御用コンピュータ１１２は、ＩＣカード発行装置本体１１１への動作指示、ＩＣカードの所持者の情報の登録、顔（顔写真）の画像の取り込み、ＩＣカードの管理などを行うようになっている。
【００５０】
ＰＣ本体１２１は、操作員（オペレータ）が動作指示を入力したり、所持者情報の入力などを行うキーボードや操作案内などが表示されるディスプレイを有し、ＩＣカード発行システム１１０全体を制御するものである。
【００５１】
データベース１２２は、ＩＣカードの発行対象となる所持者に関する情報（個人情報）を記録（登録）するものである。このデータベース１２２には、例えば、所持者が記入した申請書に基づいてＰＣ本体１２１のキーボードで入力される個人名、住所、所属、個人ＩＤナンバ、有効期限などの個人情報が登録される。また、このデータベース１２２に登録されている情報は、ＰＣ本体１２１により個人名やＩＤナンバなどをキーワードとして検索できるようになっている。
【００５２】
カメラ１２３は、顔写真を直接撮影することにより顔写真の画像を取り込むようになっている。また、スキャナ１２４は、発行しようとする人の顔写真の画像をスキャナ１２４で取り込むようになっている。
【００５３】
ＩＣカード発行装置本体１１１は、制御部（判定手段）１３０、ホッパ（取出手段）１３１、所持者顔画像印画部（印画手段）１３２、所持者情報印字部（印字手段）１３３、ＩＣ情報書込み部（ＩＣ記録手段）１３４、スタッカ（正常カード収納手段）１３５、粉砕処理部（粉砕処理手段）１３６、リジェクトスタッカ（粉砕カード収納手段）１３７、粉砕処理投入部１３８、粉砕カード認識部１３９などから構成されている。
【００５４】
制御部１３０は、ＩＣカード発行装置本体１１１内の各部を制御することによりＩＣカード発行装置本体１１１の動作を制御するようになっている。また、制御部１３０は、ＩＣカードの発行動作を実行する際に、制御用コンピュータ１１２の動作開始指示に基づいて動作を開始するとともに、制御用コンピュータ１１２からの種々のデータを各部に与える制御を行う。
【００５５】
ホッパ１３１には、初期状態のカード（生カード）が収納されており、制御用コンピュータ１１２の動作指示に基づいて、初期状態のカードを１枚ずつ次の処理部としての所持者顔画像印画部１３２へ供給するものである。
【００５６】
所持者顔画像印画部１３２は、制御用コンピュータ１１２から与えられる顔画像をホッパ１３１から供給された生カードの所定の位置に印画するものである。所持者情報印字部１３３は、顔画像が印画されたカードに対して所持者に関する情報（ＩＤ情報）を所定の位置に印字するものである。
【００５７】
ＩＣ情報書込み部１３４は、制御用コンピュータ１１２から与えられる所持者の個人情報をカード内のＩＣチップ内に設けられているメモリに書込むものである。このＩＣ情報書込み部１３４は、例えば、カード内の送受信アンテナと通信を行うアンテナを有している。
【００５８】
このようなＩＣ情報書込み部１３４は、カード内のメモリにＩＣ情報を書込む際、アンテナを介してカードに書込みコマンドと書込むＩＣ情報とを送信する。この送信内容をカードが受信すると、書込みコマンドに従ってカードがＩＣ情報をメモリに記録する。この結果、メモリにＩＣ情報が正常に記録された場合、カードは書込みが正常に終了したことを示すデータをＩＣ情報書込み部１３４に返信する。ＩＣ情報書込み部１３４は、カードから書込みが正常に終了したことを示すデータを受信した際に、制御部１３０に書込み処理が正常に終了したことを示すデータを送信するようになっている。
【００５９】
また、ホッパ１３１、所持者顔画像印画部１３２、所持者情報印字部１３３及びＩＣ情報書込み部１３４には、それぞれ処理が正常に行われたか否かを検知する検知器１３１ａ〜１３４ａが設けられている。これらの検知器１３１ａ〜１３４ａによる検知結果に基づいて、制御部１３０は、上記各部における処理が正常に行われたか否かを判定するようになっている。
【００６０】
例えば、検知器１３１ａ〜１３４ａは、処理中のカードの搬送状態を検知する。この検知結果に基づいて、制御部１３０は、処理中のカードが所定時間内に検知されたか否かにより正常に処理が行われたか否かを判定する。
【００６１】
スタッカ１３５は、ホッパ１３１、所持者顔画像印画部１３２、所持者情報印字部１３３及びＩＣ情報書込み部１３４において発行処理が正常に行われた場合、正常に発行されたＩＣカードを収納するものである。
【００６２】
粉砕処理部１３６は、ホッパ１３１、所持者顔画像印画部１３２、所持者情報印字部１３３及びＩＣ情報書込み部１３４において発行処理が正常に行われなかった場合、つまり発行処理において障害が発生した場合、正常に発行されなかったカードに対して後述するような粉砕処理を実行するものである。
【００６３】
リジェクトスタッカ１３７は、粉砕処理部１３６で粉砕処理されたカードを収納するものである。
【００６４】
粉砕処理投入部１３８は、期限切れや失効したＩＣカードなどの粉砕処理が必要なＩＣカードが外部から投入されるものである。
【００６５】
粉砕カード認識部１３９は、粉砕処理投入部１３８より投入されたＩＣカードの内容を読取って、その内容を制御用コンピュータ１１２に送信し、ＩＣカードの認識処理を行う。この際に、制御用コンピュータ１１２では、データベース１２２に認識されたＩＣカードが粉砕処理された旨を記録する。この粉砕カード認識部１３９で処理されたカードは、粉砕処理部１３６へ搬送される。粉砕処理部１３６での粉砕処理は、例えばシュレッダー、ミル等の所望の粉砕機で行われる。粉砕処理は、３．３５ｍｍのふるい目開き寸法通過率が１００％となるよう行われるのが好ましい。
【００６６】
この粉砕処理により、ＩＣカードの券面はもとより、ＩＣカードとして機能する電気回路の全てが粉々にされるため、不正使用を防止することができる。
【００６７】
次に、ＩＣカード発行システム１１０によるＩＣカードの発行手順について説明する。このＩＣカード発行システム１１０では、制御用コンピュータ１１２により個人情報がデータベース１２２に登録された後に、ＩＣカード発行装置本体１１１によりＩＣカードの発行処理が実行される。
【００６８】
まず、ＩＣカードの発行対象となる所持者の個人情報の登録について説明する。新規のＩＣカードを発行する場合、操作員は、ＩＣカードの発行処理を実行する前に、制御用コンピュータ１１２で発行対象となるＩＣカードの所持者に関する情報（個人情報）をデータベース１２２に登録する。
【００６９】
操作員は、発行対象となる所持者が記入した申請書などの書類等に基づき、ＰＣ本体１２１のキーボードなどを用いて個人名、住所、所属、個人ＩＤナンバ、有効期限などの個人情報を入力する。
【００７０】
すると、ＰＣ本体１２１は、入力された個人情報をデータベース１２２に登録する。この際、既にＩＣカードを所持している人に対するＩＣカードの再発行や有効期限の更新、個人情報の一部変更などの場合、データベース１２２への個人情報の登録の効率化を図るため、以前登録を行った人であれば、操作員がＩＤナンバなどの検索のキーとなる情報を入力する。これによりＰＣ本体１２１は、データベース１２２に保存してある情報から個人情報を抽出し、その個人情報に対する変更あるいは修正などを行う。
【００７１】
一方、ＰＣ本体１２１には、スキャナ１２４あるいはカメラ１２３が接続されており、発行しようとする人の顔写真の画像をスキャナ１２４で取り込むか、あるいは顔写真をカメラ１２３によって直接撮影するようになっている。このように得られた顔写真の画像は、データベース１２２に記憶されている個人情報と対応して記憶される。こうして作成された個人情報は、ＩＣカード発行装置本体１１１にて発行するＩＣカードの情報として利用される。
【００７２】
次に、ＩＣカード発行装置本体１１１によるＩＣカードの発行処理について説明する。まず、ＩＣカードの個人情報の登録と顔写真の画像の取込とが完了した後、操作員は、ホッパ１３１に初期状態のカード（生カード）をセットし、ＰＣ本体１２１にてＩＣカードの発行処理の開始を指示する。
【００７３】
すると、ＰＣ本体１２１は、操作員の操作に基づき発行するＩＣカードの顔写真の画像、印字する個人情報、メモリに記録するＩＣ情報をＩＣカード発行装置本体１１１へ送信する。ＩＣカード発行装置本体１１１では、顔写真の画像を所持者顔画像印画部１３２、印字する個人情報を所持者情報印字部１３３、ＩＣ情報をＩＣ情報書込み部１３４でそれぞれ図示しない内部メモリ内に蓄える。
【００７４】
制御部１３０は、ホッパ１３１から生カードを１枚取出し、所持者顔画像印画部１３２の印画位置（サーマルヘッド部）に搬送する。この際、制御部１３０は、ホッパ１３１の検知器１３１ａの検知結果に基づいて正常にカードが取出されたか否かを判定する。この判定の結果、ホッパ１３１から生カードが正常に取出されたと判定された場合、所持者顔画像印画部１３２は、搬送されてきたカードの表面の所定位置に制御用コンピュータ１１２から与えられた顔写真の画像を印画する。この際、制御部１３０は、検知器１３２ａがカードを正常に検知したか否かにより顔写真の画像の印画処理が正常に行われたか否かを判定する。この判定の結果、この顔写真の画像の印画が正常に処理されたと判定した場合、制御部１３０は、このカードを所持者情報印字部１３３へ搬送する。このカードに対して所持者情報印字部１３３は、制御用コンピュータ１１２から与えられる所持者情報としての個人情報を所定の項目ごとに、カード表面の所定の位置に印字する。この際、制御部１３０は、検知器１３３ａがカードを正常に検知したか否かにより所持者情報の印字処理が正常に行われたか否かを判定する。
【００７５】
この判定の結果、所持者情報の印字処理が正常に行われたと判定された場合、制御部１３０は、このカードをＩＣ情報書込み部１３４へ搬送する。ＩＣ情報書込み部１３４は、搬送されてきたカードに対して無線通信により書込みコマンドと制御用コンピュータ１１２から供給されたメモリに記録するＩＣ情報を送信する。
【００７６】
すると、ＩＣカードでは、無線通信により送信された書込みコマンドとＩＣ情報とを受信してメモリにＩＣ情報を書込む。カードは、ＩＣ情報が正常に書込めた場合、ＩＣ情報書込み部１３４に正常終了を示すデータを送信する。これによりメモリへのＩＣ情報の書込み処理が正常に終了する。
【００７７】
この際、制御部１３０は、検知器１３４ａの検知結果、及びカードからの書込みの正常終了を示すデータに基づいて、カードへのＩＣ情報の書込み処理が正常に行われたか否かを判定する。
【００７８】
この判定の結果、ＩＣ情報の書込みが正常に行われたと判定した場合、制御部１３０は、このカードを正常発行されたＩＣカードとしてスタッカ１３５に搬送する。スタッカ１３５は、搬送されてきた正常に発行されたＩＣカードを図示しない収納部に収納する。これにより、正常に発行されたＩＣカードは、スタッカ１３５に収納され、ＩＣカードの正常な発行処理が完了する。
【００７９】
また、各部による処理が正常に完了しなかった場合、制御部１３０は、当該カードが搬送可能な状態であれば、当該カードを粉砕処理部１３６へ搬送する。この正常に処理されずに粉砕処理部１３６へ搬送されたカードには、粉砕処理部１３６にて前述の粉砕処理が施される。
【００８０】
この粉砕処理部１３６により粉砕処理されたカードは、リジェクトスタッカ１３７へ搬送され、図示しない収納部に収納される。これにより、発行処理の途中で正常に発行できなかったカードは、粉砕処理が施された上で、正常に発行されたカードと別に収納され、正常に発行できなかったカードに対する処理が完了する。
【００８１】
また、ＩＣカード発行装置本体１１１内でのカードの搬送時の障害（ジャム）などで正常に処理されなかった際に、当該カードが搬送不可能な状況の場合、制御部１３０は、ＩＣカード発行装置本体１１１の動作を一旦停止し、オペレータにカードが搬送不能な状態であることを報知する。これにより、オペレータが搬送不能になったカードを取り除くようになっている。
【００８２】
上記のように、ＩＣカード発行装置本体１１１内に粉砕処理部を設け、ＩＣカード発行装置にて正常に発行できなかったカードを粉砕処理し、正常に発行されたカードと別に収納するようにしたものである。
【００８３】
これにより、正常に発行できなかったカードをＩＣカード発行装置外に取出すことなく装置内で不正使用できない状態に粉砕処理することができ、発行処理の途中で正常に発行できなくなったＩＣカードが外部に流出して不正に使用されることを未然に防ぐ効果がある。
【００８４】
次に、粉砕処理投入部１３８から投入されたカードに対する処理について説明する。ここで、粉砕処理投入部１３８には、粉砕処理が必要なカードが投入される。このような粉砕処理が必要なカードは、例えば、上記のようなＩＣカード発行装置における発行処理時に搬送不能となってオペレータによって取り除かれたカード、あるいは有効期限切れ、所持者情報変更、権利抹消などにより返却されたＩＣカードなどがある。
【００８５】
まず、発行処理時に搬送不能となってオペレータによって取り除かれたカードや種々の理由により不要となったＩＣカードは、粉砕処理投入部１３８に投入される。すると、粉砕処理投入部１３８に投入されたＩＣカードは、粉砕カード認識部１３９へ搬送される。この粉砕カード認識部１３９では、メモリから個人情報の読取処理を行う。この際に、カードから個人情報が読取れた場合、粉砕カード認識部１３９は、読取った個人情報を制御用コンピュータ１１２に送信する。すると、制御用コンピュータ１１２は、読取った個人情報をもとにデータベース１２２上で対応するＩＣカードを認識し、そのＩＣカードを粉砕処理したことを記録する。
【００８６】
これにより、ＩＣカードに対する粉砕処理とともに、データベース１２２に登録されている発行済みのＩＣカードが粉砕処理されたことを記録しておくことができ、粉砕処理されたＩＣカードを管理することができる。
【００８７】
粉砕カード認識部１３９でＩＣカードから個人情報を読取ってデータベース１２２に粉砕処理したＩＣカードの情報を記録した際、あるいはＩＣカードから個人情報が読取れなかったり、読取った情報が認識できなかった際、制御部１３０は、当該カードを粉砕処理部１３６へ搬送する。
【００８８】
この粉砕処理部１３６へ搬送されたカードには、前述の粉砕処理が行われる。この粉砕処理部１３６で粉砕処理が行われたカードは、リジェクトスタッカ１３７へ搬送されて収納される。
【００８９】
上記のように、ＩＣカード発行装置本体１１１に粉砕処理投入部１３８を設け、そこから投入されたＩＣカードに記録されている個人情報を認識し、かつ粉砕処理を行うようにしたものである。
【００９０】
これにより、有効期限切れ、所持者情報変更、権利抹消などにより返却されたＩＣカードのデータ管理を行うとともに、返却されたＩＣカードの不正使用を未然に防ぐ効果がある。
［実施例］
第１のシート材は、厚さ２００μの白色ＰＥＴフィルム支持体の一面側に以下に示す昇華型熱転写用受像層を有する。
（昇華型熱転写用受像層）昇華型熱転写用受像層は、昇華染料インクがサーマルヘッドで加熱されて熱拡散する時に、染料をトラップして定着させる素材で構成され、塩化ビニルの粉末をメチルエチルケトン溶剤に溶かし、グラビアコータで多数回塗布してから、乾燥して溶剤を揮発させて形成した。昇華型熱転写用受像層の厚さは２．５μである。
【００９１】
第２のシート材は、第１のシート材と同じ厚さ２００μの白色ＰＥＴフィルム支持体の一面側に筆記層を有する。
【００９２】
筆記層は、ポリエステルエマルジョンに炭酸カルシウム及びシリカ微粒子を拡散したものであり、第１のシート材の受像層と同様に、溶剤で溶かして、グラビアコータ等で塗布してから、乾燥して溶剤を気化させて形成した。この筆記層の厚さも、受像層とほぼ同じ程度である。
【００９３】
第２のシート材の、筆記層を有する面とは反対の面に、ホットメルト接着剤層を塗工し、さらにその上に最大厚さが３００μである送受信アンテナコイルとＩＣチップからなるＩＣユニットを載置した。このＩＣユニットにおけるＩＣチップの厚さは１００μであった。また、ホットメルト接着剤層は、Ｈｅｎｋｅｌ社製Ｍａｃｒｏｐｌａｓｔ  ＱＲ３４６０を使用した。
【００９４】
載置されたＩＣユニットの上に、前記と同じホットメルト接着剤層、第１のシート材の受像層を有する面とは反対の面を重ね合わせ、鏡板平面熱プレスを使用し、７５℃加熱、５ｋｇｆ／ｃｍ２の条件で熱圧着させ、これを打ち抜いてＩＣチップ、及びアンテナコイルを内包した厚み７６０μのＩＣカードを作製した。（実施例１）
一定期間使用し、有効期限切れとなった上記ＩＣカードをシュレッダーを使用して３．３５ｍｍのふるい目開き寸法通過率が１００％、かつ２．８ｍｍのふるい目開き寸法通過率が１０％となるよう粉砕処理を行った後、焼却した。
（実施例２）
一定期間使用し、有効期限切れとなった上記ＩＣカードをシュレッダーを使用して３．３５ｍｍのふるい目開き寸法通過率が１００％、かつ２．８ｍｍのふるい目開き寸法通過率が１０％となるように粉砕した後、さらに粉砕機を使用して３．３５ｍｍのふるい目開き寸法通過率が１００％、かつ２．８ｍｍのふるい目開き寸法通過率が８０％となるように粉砕処理を行った後、焼却した。
【００９５】
【発明の効果】
前記したように、請求項１に記載の発明では、有効期限切れ、所持者情報変更、権利抹消などで返却されたり、正常に発行できなかった等で不要となったＩＣカードを粉砕することで、ＩＣカードのセキュリティを確実に確保することが可能となり、またＩＣカードが外部に流出して不正に使用されることを未然に防ぐことができる。
【００９６】
請求項２に記載の発明では、受像層の上面に透明保護層が設けられているＩＣカードを粉砕することで、ＩＣカードのセキュリティを確実に確保することが可能となり、またＩＣカードが外部に流出して不正に使用されることを未然に防ぐことができる。
【００９７】
請求項３に記載の発明では、３．３５ｍｍのふるい目開き寸法通過率１００％となるように、ＩＣカードを粉砕することで、ＩＣカードのセキュリティを確実に確保することが可能となり、またＩＣカードが外部に流出して不正に使用されることを未然に防ぐことができる。
【００９８】
請求項４に記載の発明では、有効期限切れ、所持者情報変更、権利抹消などで返却されたり、発行処理の途中で正常に発行できなかった等で不要となったＩＣカードを粉砕することで、ＩＣカードのセキュリティを確実に確保することが可能となり、またＩＣカードが外部に流出して不正に使用されることを未然に防ぐことができる。
【００９９】
請求項５に記載の発明では、ＩＣカードが正常に発行されたと判定した際に、正常に発行されたＩＣカードを正常カード収納手段に収納する。
【０１００】
請求項６に記載の発明では、粉砕処理されたカードを粉砕カード収納手段に収納する。
【０１０１】
請求項７に記載の発明では、有効期限切れ、所持者情報変更、権利抹消などで返却されたり、発行処理の途中で正常に発行できなかった等で不要となったＩＣカードを粉砕することで、ＩＣカードのセキュリティを確実に確保することが可能となり、またＩＣカードが外部に流出して不正に使用されることを未然に防ぐことができる。
【０１０２】
請求項８に記載の発明では、ＩＣカードが正常に発行されたと判定した際に、正常に発行されたＩＣカードを正常カード収納手段に収納する。
【０１０３】
請求項９に記載の発明では、粉砕処理されたカードを粉砕カード収納手段に収納する。
【図面の簡単な説明】
【図１】表面に金属端子のない非接触型ＩＣカードの１例を示す平面図である。
【図２】ＩＣカードの層構成を模式的に示す断面図である。
【図３】ＩＣカード発行システムの概略構成を示すブロック図である。
【符号の説明】
１  ＩＣカード
１０  第１のシート材
２０  第２のシート材
３１，３２  接着剤層
Ｃ  ＩＣユニット
Ｃ１  ＩＣチップ
Ｃ２  アンテナコイル
１１０  ＩＣカード発行システム
１１１  ＩＣカード発行装置本体
１１２  制御用コンピュータ
１３０  制御部（判定手段）
１３１  ホッパ
１３２  所持者顔画像印画部（印画手段）
１３３  所持者情報印字部（印字手段）
１３４  ＩＣ情報書込み部（ＩＣ記録手段）
１３５  スタッカ（正常カード収納手段）
１３６  粉砕処理部（粉砕処理手段）
１３７  リジェクトスタッカ（粉砕カード収納手段）
【図１】
2004272733.tif 000003
【図２】
2004272733.tif 000004
【図３】
2004272733.tif 000005